【手続補正書】
【提出日】平成23年2月7日(2011.2.7)
【手続補正１】
【補正対象書類名】明細書
【補正対象項目名】発明の名称
【補正方法】変更
【補正の内容】
【発明の名称】受信方法及び受信装置
【手続補正２】
【補正対象書類名】明細書
【補正対象項目名】００１０
【補正方法】変更
【補正の内容】
【００１０】
本発明はかかる点に鑑みてなされたものであり、送信装置から複数の変調信号が多重されて送信された場合においても、データの伝送速度、伝送品質の両立をはかることのできる、受信方法及び受信装置を提供することを目的とする。
【手続補正３】
【補正対象書類名】明細書
【補正対象項目名】００１１
【補正方法】変更
【補正の内容】
【００１１】
本発明の受信方法の一つの態様は、ＯＦＤＭ方式を用いて生成され、送信装置から送信された複数の変調信号を受信する受信方法であって、前記複数の変調信号の各々は、制御シンボル群が配置されるプリアンブル区間と、データシンボルが配置されるデータ区間とを有する送信フレームを用いるものであり、前記複数の変調信号の各々の送信フレームにおいて、前記プリアンブル区間の特定の期間に、前記複数の変調信号を分離するためのＭＩＭＯチャネル推定用シンボルが、複数のサブキャリアにわたって周波数軸方向に連続して配置され、前記データ区間において、少なくとも１つ以上のサブキャリアにパイロットシンボルが挿入されており、前記複数の変調信号を受信し、受信された前記複数の変調信号の各々に含まれる前記ＭＩＭＯチャネル推定用シンボルを用いて、各々の変調信号のチャネル変動を推定し、受信された前記複数の変調信号の各々に含まれる前記パイロットシンボルを用いて、各々の変調信号の周波数オフセットを推定し、推定された前記周波数オフセット又は推定された前記チャネル変動を用いて前記複数の変調信号の各々に含まれる前記データシンボルを復調し、受信信号を生成する。
【手続補正４】
【補正対象書類名】明細書
【補正対象項目名】００１２
【補正方法】変更
【補正の内容】
【００１２】
本発明の受信装置の一つの態様は、ＯＦＤＭ方式を用いて生成され、送信装置から送信された複数の変調信号を受信する受信装置であって、前記複数の変調信号の各々は、制御シンボル群が配置されるプリアンブル区間と、データシンボルが配置されるデータ区間とを有する送信フレームを用いるものであり、前記複数の変調信号の各々の送信フレームにおいて、前記プリアンブル区間の特定の期間に、前記複数の変調信号を分離するためのＭＩＭＯチャネル推定用シンボルが、複数のサブキャリアにわたって周波数軸方向に連続して配置され、前記データ区間において、少なくとも１つ以上のサブキャリアにパイロットシンボルが挿入されており、前記複数の変調信号を受信する受信部と、受信された前記複数の変調信号の各々に含まれる前記ＭＩＭＯチャネル推定用シンボルを用いて、各々の変調信号のチャネル変動を推定するチャネル変動推定部と、受信された前記複数の変調信号の各々に含まれる前記パイロットシンボルを用いて、各々の変調信号の周波数オフセットを推定する周波数オフセット推定部と、推定された前記周波数オフセット又は推定された前記チャネル変動を用いて前記複数の変調信号の各々に含まれる前記データシンボルを復調し、受信信号を生成する復調部と、を具備する。
【手続補正５】
【補正対象書類名】特許請求の範囲
【補正対象項目名】全文
【補正方法】変更
【補正の内容】
【特許請求の範囲】
【請求項１】
ＯＦＤＭ方式を用いて生成され、送信装置から送信された複数の変調信号を受信する受信方法であって、
前記複数の変調信号の各々は、制御シンボル群が配置されるプリアンブル区間と、データシンボルが配置されるデータ区間とを有する送信フレームを用いるものであり、前記複数の変調信号の各々の送信フレームにおいて、前記プリアンブル区間の特定の期間に、前記複数の変調信号を分離するためのＭＩＭＯチャネル推定用シンボルが、複数のサブキャリアにわたって周波数軸方向に連続して配置され、前記データ区間において、少なくとも１つ以上のサブキャリアにパイロットシンボルが挿入されており、
前記複数の変調信号を受信し、
受信された前記複数の変調信号の各々に含まれる前記ＭＩＭＯチャネル推定用シンボルを用いて、各々の変調信号のチャネル変動を推定し、
受信された前記複数の変調信号の各々に含まれる前記パイロットシンボルを用いて、各々の変調信号の周波数オフセットを推定し、
推定された前記周波数オフセット又は推定された前記チャネル変動を用いて前記複数の変調信号の各々に含まれる前記データシンボルを復調し、受信信号を生成する、
受信方法。
【請求項２】
前記送信装置は複数のアンテナを有し、前記複数のアンテナのうちの１つのアンテナから送信される変調信号の送信フレーム内で前記パイロットシンボルが挿入される周波数位置および期間においては、他のアンテナから送信される変調信号の送信フレーム内において、ＩＱ平面上で信号点振幅を有するシンボルが配置されている、
請求項１記載の受信方法。
【請求項３】
前記ＩＱ平面で信号点振幅を有するシンボルは、データシンボルである、
請求項２記載の受信方法。
【請求項４】
前記複数の変調信号は、同一周波数帯域を用いて送信されるものであり、
前記複数の変調信号の各々を送信するために用いられる複数の送信フレームの全てにおいて、前記ＭＩＭＯチャネル推定用シンボルは、前記プリアンブル区間の共通する期間に配置されている、
請求項１乃至３いずれか一項に記載の受信方法。
【請求項５】
前記パイロットシンボルは、前記送信フレームのデータ区間において、規則的に挿入されている、
請求項１乃至４いずれか一項に記載の受信方法。
【請求項６】
前記プリアンブル区間は、前記データ区間よりも時間軸において前方に配置される、
請求項１乃至５いずれか一項に記載の受信方法。
【請求項７】
ＯＦＤＭ方式を用いて生成され、送信装置から送信された複数の変調信号を受信する受信装置であって、
前記複数の変調信号の各々は、制御シンボル群が配置されるプリアンブル区間と、データシンボルが配置されるデータ区間とを有する送信フレームを用いるものであり、前記複数の変調信号の各々の送信フレームにおいて、前記プリアンブル区間の特定の期間に、前記複数の変調信号を分離するためのＭＩＭＯチャネル推定用シンボルが、複数のサブキャリアにわたって周波数軸方向に連続して配置され、前記データ区間において、少なくとも１つ以上のサブキャリアにパイロットシンボルが挿入されており、
前記複数の変調信号を受信する受信部と、
受信された前記複数の変調信号の各々に含まれる前記ＭＩＭＯチャネル推定用シンボルを用いて、各々の変調信号のチャネル変動を推定するチャネル変動推定部と、
受信された前記複数の変調信号の各々に含まれる前記パイロットシンボルを用いて、各々の変調信号の周波数オフセットを推定する周波数オフセット推定部と、
推定された前記周波数オフセット又は推定された前記チャネル変動を用いて前記複数の変調信号の各々に含まれる前記データシンボルを復調し、受信信号を生成する復調部と、
を具備する受信装置。
【請求項８】
前記送信装置は複数のアンテナを有し、前記複数のアンテナのうちの１つのアンテナから送信される変調信号の送信フレーム内で前記パイロットシンボルが挿入される周波数位置および期間においては、他のアンテナから送信される変調信号の送信フレーム内において、ＩＱ平面上で信号点振幅を有するシンボルが配置されている、
請求項７記載の受信装置。
【請求項９】
前記ＩＱ平面で信号点振幅を有するシンボルは、データシンボルである、
請求項８記載の受信装置。
【請求項１０】
前記複数の変調信号は、同一周波数帯域を用いて送信されるものであり、
前記複数の変調信号の各々を送信するために用いられる複数の送信フレームの全てにおいて、前記ＭＩＭＯチャネル推定用シンボルは、前記プリアンブル区間の共通する期間に配置されている、
請求項７乃至９いずれか一項に記載の受信装置。
【請求項１１】
前記パイロットシンボルは、前記送信フレームのデータ区間において、規則的に挿入されている、
請求項７乃至１０いずれか一項に記載の受信装置。
【請求項１２】
前記プリアンブル区間は、前記データ区間よりも時間軸において前方に配置される、
請求項７乃至１１いずれか一項に記載の受信装置。